(57)【要約】【課題】  紙を円筒状に巻いた紙筒を用いて立体造形物を形成することができる紙筒用継ぎ手を提供する。【解決手段】  薄紙を円筒状に巻いた紙筒の空洞に挿着するヘラ状扁平挿入片を放射状に形成して成る紙筒用継ぎ手において、当該挿入片の幅が前記紙筒の内径を押し広げて楕円形に変形させる長さであり、当該挿入片の先端寄りと根元寄りとの幅方向の両側に前記紙筒の内壁に当接して突き広げる山状突起がそれぞれ一対設けられ、根元寄りの両側の第一山状突起を通る周回軌道が前記紙筒の内円周と略同じであり、先端寄りの両側の第二山状突起を通る周回軌道が前記第一山状突起を通る周回軌道より短く、且つ、前記第二山状突起が紙筒の内壁に密接して挿入片の厚み方向に間隙を形成される長さとする。【選択図】図１
2016049417.tif 000002
【特許請求の範囲】
【請求項１】
薄紙を円筒状に巻いた紙筒の空洞に挿着するヘラ状扁平挿入片を放射状に形成して成る紙筒用継ぎ手において、当該挿入片の少なくとも先端寄りと根元寄りとの幅方向の両側に前記紙筒の内壁に当接して該内壁を突き広げる山状突起がそれぞれ一対設けられ、根元寄りの両側の第一山状突起間幅が先端寄りの両側の第二山状突起間幅より長く形成されていることを特徴とする紙筒用継ぎ手。
【請求項２】
薄紙を円筒状に巻いた紙筒の空洞に挿着するヘラ状扁平挿入片を放射状に形成して成る紙筒用継ぎ手において、当該挿入片の幅が前記紙筒の内径を押し広げて楕円形に変形させる長さであり、当該挿入片の先端寄りと根元寄りとの幅方向の両側に前記紙筒の内壁に当接して突き広げる山状突起がそれぞれ一対設けられ、根元寄りの両側の第一山状突起を通る周回軌道が前記紙筒の内円周と略同じであり、先端寄りの両側の第二山状突起を通る周回軌道が前記第一山状突起を通る周回軌道より短く、且つ、当該第二山状突起が紙筒の内壁に密接して挿入片の厚み方向に間隙を形成される長さになっていることを特徴とする紙筒用継ぎ手。
【発明の詳細な説明】
【技術分野】
【０００１】  本発明は、薄紙を円筒状に巻いた紙筒の空洞に挿着するヘラ状扁平挿入片を放射状に形成して成る紙筒用継ぎ手に関するものである。
【背景技術】
【０００２】  周知の通り、複数のパイプを連結して造形物を形成する組立ておもちゃに用いる組立ておもちゃ用連結具（例えば、特許文献１参照）が汎用されている。
【先行技術文献】
【特許文献】
【０００３】
【特許文献１】  意匠登録第１２０７９４８号公報
【発明の概要】
【発明が解決しようとする課題】
【０００４】  図９に図示する従来の連結具５０はパイプの空洞に容易に挿入することができるようにストレートに伸びる連結ピン５１を放射状に設けて構成されており、当該連結具５０の連結ピン５１を、薄紙を円筒状に巻いた紙筒に挿入した場合には、連結ピン５１の真っ直ぐな形状に従って紙筒が変形するので、挿入後において連結ピン５１が空洞内でストッパーの役目を果たさず、すぐに抜けてしまうという問題点があった。【０００５】  そこで、本発明は、薄紙を円筒状に巻いた紙筒内で固定でき、当該紙筒同士を強固に連結できる紙筒用継ぎ手を提供することを技術的課題とするものである。
【課題を解決するための手段】
【０００６】  前記技術的課題は、次の通りの本発明によって解決できる。【０００７】  即ち、本発明に係る紙筒用継ぎ手は、薄紙を円筒状に巻いた紙筒の空洞に挿着するヘラ状扁平挿入片を放射状に形成して成る紙筒用継ぎ手において、当該挿入片の少なくとも先端寄りと根元寄りとの幅方向の両側に前記紙筒の内壁に当接して該内壁を突き広げる山状突起がそれぞれ一対設けられ、根元寄りの両側の第一山状突起間幅が先端寄りの両側の第二山状突起間幅より長く形成されているものである。【０００８】  また、本発明に係る紙筒用継ぎ手は、薄紙を円筒状に巻いた紙筒の空洞に挿着するヘラ状扁平挿入片を放射状に形成して成る紙筒用継ぎ手において、当該挿入片の幅が前記紙筒の内径を押し広げて楕円形に変形させる長さであり、当該挿入片の先端寄りと根元寄りとの幅方向の両側に前記紙筒の内壁に当接して突き広げる山状突起がそれぞれ一対設けられ、根元寄りの両側の第一山状突起を通る周回軌道が前記紙筒の内円周と略同じであり、先端寄りの両側の第二山状突起を通る周回軌道が前記第一山状突起を通る周回軌道より短く、且つ、当該第二山状突起が紙筒の内壁に密接して挿入片の厚み方向に間隙を形成される長さとなっているものである。
【発明の効果】
【０００９】  本発明によれば、薄紙を円筒状に巻いた紙筒の空洞に挿着するヘラ状扁平挿入片を放射状に形成して挿入片の少なくとも先端寄りと根元寄りとの幅方向の両側に前記紙筒の内壁に当接して該内壁を突き広げる山状突起がそれぞれ一対設け、根元寄りの両側の第一山状突起間幅を先端寄りの両側の第二山状突起間幅より長く形成したので、前記紙筒に挿入した場合に前記挿入片の山状突起がストッパーの役目をすることができる。
【図面の簡単な説明】
【００１０】
【図１】  本発明の一例を示す紙筒用継ぎ手の平面図である。
【図２】  図１に示す扁平挿入片を説明する平面図である。
【図３】  扁平挿入片と紙筒との関係を説明する一つの扁平挿入片の部分平面図である。
【図４】  扁平挿入片と紙筒との関係を説明する扁平挿入片の断面図であり、図４の（ａ）は図３におけるＡ−Ａ断面図、図４の（ｂ）は図３におけるＢ−Ｂ断面図、図４の（ｃ）は図３におけるＣ−Ｃ断面図、図４の（ｄ）は図３におけるＤ−Ｄ断面図である。
【図５】  紙筒と紙筒用継ぎ手とからなる立体造形物の斜視図である。
【図６】  本発明の一例を示す紙筒用継ぎ手の平面図である。
【図７】  本発明の一例を示す紙筒用継ぎ手の平面図である。
【図８】  本発明の一例を示す紙筒用継ぎ手の平面図である。
【図９】  従来の連結具（継ぎ手）を示す平面図である。
【発明を実施するための形態】
【００１１】  以下、本発明の実施の形態を図面に基づき説明する。
【００１２】実施の形態１．
【００１３】  １は、薄紙を円筒状に巻いた紙筒２の空洞３に挿着するヘラ状扁平挿入片４を放射状に六片形成して成る紙筒用継ぎ手（図１参照）であり、当該継ぎ手１は、中心に設けられた円形の基礎台５と該基礎台５から放射状に設けられた前記挿入片４とから構成されており、基礎台５の中央には前記紙筒を挿入できる穴６が開口している。
【００１４】  そして、図２に示すように、挿入片４の少なくとも先端寄りの位置（以下、「先端寄り」という）７と根元寄りの位置（以下、「根元寄り」という）８との幅方向の両側に紙筒２の内壁９に当接して該内壁９を突き広げる山状突起１０，１１がそれぞれ一対設けられ、根元寄り８の両側の第一山状突起１１，１１間幅が先端寄り７の両側の第二山状突起１０，１０間幅より長く形成されている。
【００１５】  本実施の形態によれば、前記第一山状突起１１，１１と前記第二山状突起１０，１０とを設けたので、前記紙筒２に挿入した場合に前記挿入片４の山状突起１０，１１がストッパーの役目をすることができる。これにより、前記紙筒２を紙筒用継ぎ手１で強固に連結することができる。
【００１６】実施の形態２．
【００１７】  本実施の形態に係る紙筒用継ぎ手を図１乃至図５を参照して説明する。これらの図において、同一符号は同一又は相当部分を示す。
【００１８】  紙筒用継ぎ手１は、図３及び図４に示すように、紙筒２の空洞３に挿着する挿入片４の幅が紙筒２の内径を押し広げて楕円形に変形させる長さであり、当該挿入片４の先端寄り７と根元寄り８との幅方向の両側に紙筒２の内壁９に当接して突き広げる山状突起１０，１１がそれぞれ一対設けられている。
【００１９】  そして、根元寄り８の両側の第一山状突起１１，１１を通る周回軌道が紙筒２の内円周と略同じであり（図４の（ｃ）参照）、先端寄り７の両側の第二山状突起１０，１０を通る周回軌道が前記第一山状突起１１，１１を通る周回軌道より短く、且つ、第二山状突起１０，１０が紙筒２の内壁９に密接して挿入片４の厚み方向に間隙を形成される長さに形成されている（図４の（ｂ）参照）。
【００２０】  従って、継ぎ手１の一つの扁平挿入片４に紙筒２を挿入すれば、挿入片４の先部１２によって紙筒２の内径が挿入片４の幅方向に押し広げられて楕円形となり（図４の（ａ）参照）、紙筒２が挿入片４の先端寄り位置７へ達すれば、第二山状突起１０，１０の存在により、紙筒２の内壁９と挿入片４と間に間隙が少なくなって紙筒２の応力が増して第二山状突起１０，１０が紙筒２の内壁９に密接して挿入片４の厚み方向に間隙を形成された状態となり（図４の（ｂ）参照）、さらに、紙筒２を押し込んで紙筒２が挿入片４の根元寄り位置８へ達すれば、第一山状突起１１，１１の存在により、紙筒２の内壁９と挿入片４とが隙間無く密着した状態となる（図４の（ｃ）参照）。
【００２１】  実施の形態によれば、根元寄り８の両側の第一山状突起１１，１１を通る周回軌道が前記紙筒２の内円周と略同じであり、先端寄り７の両側の第二山状突起１０，１０を通る周回軌道が前記第一山状突起１１，１１を通る周回軌道より短く、且つ、当該第二山状突起１０，１０が紙筒２の内壁９に密接して挿入片４の厚み方向に間隙を形成される長さにしたので、実施の形態１と同様の作用・効果を奏することができ、紙筒２を紙筒用継ぎ手１で強固に連結することができるから、図５に示すような立体造形物１３を強固に製作することができる。
【００２２】  なお、根元寄り８の両側の第一山状突起１１，１１を通る周回軌道は紙筒２の内円周と略同じ長さとしたが、内円周より若干長くすれば、食い込むように固着できるから、さらによい。
【００２３】変形例１．
【００２４】  図６に示す継ぎ手１は３本の扁平挿入片４が放射状に形成されており、根元寄り位置８と先端寄り位置７との間にさらに第三の山状突起１４，１４を設けたものであり、突起間の幅を第二山状突起１０，１０と同じ幅か或いは第一山状突起１１，１１と第二山状突起１０，１０との中間の長さの幅にすればよい。
【００２５】変形例２，３．
【００２６】  図７に示す継ぎ手１（変形例２）は４本の扁平挿入片４が放射状に形成されており、図８に示す継ぎ手１（変形例３）は５本の扁平挿入片４が放射状に形成されている。
【００２７】
【産業上の利用可能性】
【００２８】  本発明によれば、紙筒を紙筒用継ぎ手で強固に連結することができるから、複雑な造形物を容易に製作することができる。
【符号の説明】
【００２９】  １  紙筒用継ぎ手
２  紙筒
３  空洞
４  ヘラ状扁平挿入片
５  基礎台
６  穴
７  先端寄り位置
８  根元寄り位置
９  内壁
１０  第二山状突起
１１  第一山状突起
１２  先部
１３  立体造形物
１４  第三の山状突起
５０  連結具
５１  連結ピン
【図１】
2016049417.tif 000003
【図２】
2016049417.tif 000004
【図３】
2016049417.tif 000005
【図４】
2016049417.tif 000006
【図５】
2016049417.tif 000007
【図６】
2016049417.tif 000008
【図７】
2016049417.tif 000009
【図８】
2016049417.tif 000010
【図９】
2016049417.tif 000011